(57)【要約】【課題】構成部品の破損を抑制する。【解決手段】キーシリンダ１０では、ロータ２０に正規キーが挿入された際に、タンブラ３０のスリット１４内への挿入が解除されてロータ２０の後方へのスライドが許可されると共に、ロータ２０が後方へスライドされてロータ２０がレバー４２に係合される。このため、正規キーが回転操作されると、ロータ２０及びレバー４２が回転される。ここで、ロータ２０に正規キー以外の挿入部材が挿入された際には、タンブラ３０がスリット１４内へ挿入されてロータ２０の後方へのスライドが制限されると共に、タンブラ３０がスリット１４の周方向へ移動可能にされてロータ２０の回転が許可される。このため、仮に挿入部材の回転操作によってロータ２０が回転されても、レバー４２は回転されない。このように、挿入部材の回転操作によるロータ２０の回転が許可されるため、キーシリンダ１０の構成部品の破損を抑制できる。【選択図】図１
2007239324.tif 000002
【特許請求の範囲】
【請求項１】
キーが挿入されると共に前記キー挿抜方向へ変位された状態で前記キーが回転操作されることで回転されて操作対象が操作されるロータと、
前記ロータの変位を制限すると共に、前記ロータの回転を許可し、前記ロータに前記キーが挿入されることで前記ロータの前記キー挿抜方向への変位を許可する制限手段と、
を備えたキーシリンダ。
【請求項２】
前記ロータを反変位方向側へ付勢する付勢手段を備えた、ことを特徴とする請求項１記載のキーシリンダ。
【請求項３】
前記ロータを収容する収容部材を備え、
前記付勢手段は、
前記ロータ及び収容部材の何れか一方に設けられ、前記ロータの変位方向に対して傾斜された傾斜部と、
前記ロータ及び収容部材の何れか他方に設けられ、付勢された状態で前記傾斜部に当接する当接部と、
を有することを特徴とする請求項２記載のキーシリンダ。
【請求項４】
前記付勢手段は、前記ロータを中立回転位置に位置決めする、ことを特徴とする請求項２又は請求項３記載のキーシリンダ。
【発明の詳細な説明】
【技術分野】
【０００１】
本発明は、キーが挿入されて回転操作されることで操作対象が操作されるキーシリンダに関する。
【背景技術】
【０００２】
キーシリンダとしては、キーロータの外周にスリーブが設けられると共に、キーロータとリアロータとが連係されたものがある（例えば、特許文献１参照）。
【０００３】
このキーシリンダでは、キーロータにキー（正規キー）が挿入されて回転操作されると、キーロータがスリーブと独立して回転されることで、キーロータとリアロータとの連係が維持されて、リアロータが回転される。
【０００４】
一方、キーロータにキー以外の挿入部材（不正規キー等）が挿入されて回転操作されると、キーロータがスリーブと一体に回転されることで、キーロータとリアロータとの連係が解除されて、リアロータが回転されない。
【０００５】
このように、キーロータにキー以外の挿入部材が挿入されて回転操作される際に、キーロータの回転を許可することで、キーシリンダの構成部品に無理な力が作用しない。これにより、当該構成部品の破損を抑制することができ、当該構成部品の再使用を可能にできる。
【特許文献１】特開平８−４３７８号公報
【発明の開示】
【発明が解決しようとする課題】
【０００６】
本発明は、上記事実を考慮し、構成部品の破損を抑制できるキーシリンダを得ることが目的である。
【課題を解決するための手段】
【０００７】
請求項１に記載のキーシリンダは、キーが挿入されると共に前記キー挿抜方向へ変位された状態で前記キーが回転操作されることで回転されて操作対象が操作されるロータと、前記ロータの変位を制限すると共に、前記ロータの回転を許可し、前記ロータに前記キーが挿入されることで前記ロータの前記キー挿抜方向への変位を許可する制限手段と、を備えている。
【０００８】
請求項２に記載のキーシリンダは、請求項１に記載のキーシリンダにおいて、前記ロータを反変位方向側へ付勢する付勢手段を備えた、ことを特徴としている。
【０００９】
請求項３に記載のキーシリンダは、請求項２に記載のキーシリンダにおいて、前記ロータを収容する収容部材を備え、前記付勢手段は、前記ロータ及び収容部材の何れか一方に設けられ、前記ロータの変位方向に対して傾斜された傾斜部と、前記ロータ及び収容部材の何れか他方に設けられ、付勢された状態で前記傾斜部に当接する当接部と、を有することを特徴としている。
【００１０】
請求項４に記載のキーシリンダは、請求項２又は請求項３に記載のキーシリンダにおいて、前記付勢手段は、前記ロータを中立回転位置に位置決めする、ことを特徴としている。
【発明の効果】
【００１１】
請求項１に記載のキーシリンダでは、ロータにキーが挿入されると共に、ロータがキー挿抜方向へ変位された状態で、キーが回転操作されることで、ロータが回転されて、操作対象が操作される。
【００１２】
ここで、制限手段が、ロータのキー挿抜方向への変位を制限すると共に、ロータの回転を許可しており、ロータにキーが挿入されることで、制限手段がロータのキー挿抜方向への変位を許可して、上記操作対象の操作が可能になる。このため、ロータにキー以外の挿入部材が挿入された際には、制限手段がロータのキー挿抜方向への変位を制限するため、仮に挿入部材の回転操作によってロータが回転されても、上記操作対象の操作は不能である。
【００１３】
このように、ロータにキー以外の挿入部材が挿入された際でも、挿入部材の回転操作によるロータの回転が許可されるため、キーシリンダの構成部品に無理な力が作用せず、当該構成部品の破損を抑制することができる。
【００１４】
請求項２に記載のキーシリンダでは、付勢手段がロータを反変位方向側へ付勢している。このため、ロータからキーが抜き取られた際に、容易にロータが変位前位置に復帰することができる。
【００１５】
請求項３に記載のキーシリンダでは、収容部材がロータを収容しており、ロータ及び収容部材の何れか一方に設けられた傾斜部がロータの変位方向に対して傾斜されると共に、ロータ及び収容部材の何れか他方に設けられた当接部が付勢された状態で傾斜部に当接している。このため、付勢手段が簡単な構成でロータを反変位方向側へ付勢することができる。
【００１６】
請求項４に記載のキーシリンダでは、付勢手段がロータを中立回転位置に位置決めする。このため、付勢手段が、ロータを反変位方向側へ付勢する機能のみならず、ロータを中立回転位置に位置決めする機能をも有することができる。
【発明を実施するための最良の形態】
【００１７】
図１には、本発明の実施の形態に係る車両用のキーシリンダ１０が側方から見た断面図（図３の１−１線断面図）にて示されており、図３には、キーシリンダ１０が前方から見た前面図にて示されている。なお、図面では、キーシリンダ１０の前方を矢印ＦＲで示し、キーシリンダ１０の上方を矢印ＵＰで示す。
【００１８】
本実施の形態に係るキーシリンダ１０は、収容部材としての略円筒状のロータケース１２（ボデー）を備えている。ロータケース１２の前面には、前面板１２Ａが配置されており、前面板１２Ａは、円環状にされて、ロータケース１２内の中心部分（周部以外）を前方へ開放している。
【００１９】
ロータケース１２の内周面には、前後方向中間部において、制限手段を構成する断面矩形凹状のスリット１４が前後方向に複数形成されており、スリット１４は、ロータケース１２内周面の全周に亘って配置されている。
【００２０】
ロータケース１２の内周面には、後部上端において、付勢手段（節度手段）を構成する凹状の節度溝１６が形成されており、節度溝１６の前側部１６Ａは直方体状にされると共に、節度溝１６の後側部１６Ｂは三角錘状にされて、節度溝１６の前側部１６Ａと後側部１６Ｂとは前後方向に連続して設けられている。これにより、図５に詳細に示す如く、節度溝１６の後側部１６Ｂの左右両側面は、傾斜部としての傾斜面１８にされて、後方へ向かうに従い下方（ロータケース１２径方向内方）へ向かう方向へ傾斜されると共に、上方（ロータケース１２径方向外方）へ向かうに従い節度溝１６幅方向内方へ向かう方向へ傾斜されている。
【００２１】
ロータケース１２内には、略円柱状のロータ２０が設けられており、ロータ２０は、中心軸周りに回転可能にされると共に、前後方向（キー挿抜方向）へスライド（変位）可能にされている。
【００２２】
ロータ２０の後部には、円柱状の配置孔２２が形成されており、配置孔２２は、上下方向（ロータ２０径方向）へ沿って配置されると共に、ロータ２０の上面から開放されている。
【００２３】
配置孔２２内には、付勢手段（節度手段）を構成する当接部としての球状の節度ボール２４が配置されており、節度ボール２４と配置孔２２の底面との間には、付勢手段（節度手段）を構成する付勢部材としての圧縮コイルスプリング２６が架け渡されている。これにより、節度ボール２４が、圧縮コイルスプリング２６によって上方（ロータ２０径方向外方）へ付勢されることで、節度溝１６の後側部１６Ｂ内に挿入されて一対の傾斜面１８に当接されており、節度ボール２４のロータケース１２周方向両側への回転が一対の傾斜面１８によって抑制されることで、節度ボール２４を介してロータ２０の回転位置が中立回転位置（初期回転位置）に位置決めされると共に、節度ボール２４が一対の傾斜面１８に当接されて圧縮コイルスプリング２６によって前側へ付勢されることで、節度ボール２４を介してロータ２０が前側（反変位方向側）へ付勢されてロータケース１２の前面板１２Ａに当接された位置（変位前位置）に配置されている。
【００２４】
ロータ２０の前後方向中間部には、ロータケース１２の複数のスリット１４に対応して、平板状の配置溝２８が前後方向に複数形成されており、配置溝２８は、ロータ２０の上面及び下面に開放されている。
【００２５】
図４に詳細に示す如く、配置溝２８内には、制限手段を構成する平板状のタンブラ３０（ロックプレート）が挿入配置されており、タンブラ３０は配置溝２８内を上下方向へスライド（移動）可能にされている。タンブラ３０とロータ２０との間には、付勢部としてのコイルスプリング３２が架け渡されており、タンブラ３０は、ロータ２０の周面から上方に突出されて、スリット１４内に挿入されている。これにより、タンブラ３０がスリット１４の後面に係合されることでロータ２０の後方へのスライドが制限されると共に、タンブラ３０がスリット１４の周方向へ移動可能にされることでロータ２０の回転が許可されている。タンブラ３０の中央部分には、略矩形状の貫通孔３４が貫通形成されており、貫通孔３４の左右方向一側部（左右方向両側部でもよい）には、突起３４Ａが形成されて貫通孔３４内に突出している。
【００２６】
ロータ２０には、矩形平板状のキー挿入孔３６が形成されており、キー挿入孔３６は、ロータ２０の中心軸に沿って配置されると共に、ロータ２０の前面及びロータケース１２の前面板１２Ａ中心部分を介して前方へ開放されている。図２に示す如く、キー挿入孔３６内には、前方からキーとしての正規キー３８を挿入可能にされており、正規キー３８の左右方向一側面（左右方向両側面でもよい）には、凹状のキー溝３８Ａが形成されている。このため、正規キー３８がキー挿入孔３６内に挿入されることで、正規キー３８が各タンブラ３０の貫通孔３４内に貫通されると共に、正規キー３８のキー溝３８Ａ周縁が各貫通孔３４の突起３４Ａを下方へ押圧して、各タンブラ３０がコイルスプリング３２の付勢力に抗して下方へスライド可能にされている。これにより、各タンブラ３０の各スリット１４内への挿入が解除されて、ロータ２０の後方へのスライドが許可される構成にされており、正規キー３８のキー挿入孔３６への挿入力（キー溝３８Ａと突起３４Ａとの摩擦力及び正規キー３８のキー挿入孔３６後面に対する押圧力等）によってロータ２０が後方へスライドされた際には、節度ボール２４が、圧縮コイルスプリング２６の付勢力に抗して節度溝１６内から離脱されて、節度溝１６の後側近傍位置においてロータケース１２の内周面に当接される。一方、正規キー３８がキー挿入孔３６から抜き取られる際には、正規キー３８のキー挿入孔３６からの抜取力（キー溝３８Ａと突起３４Ａとの摩擦力等）によってロータ２０及び節度ボール２４が前方へスライドされることで、圧縮コイルスプリング２６の付勢力によって節度ボール２４が節度溝１６内に挿入されて一対の傾斜面１８に当接されると共に、節度ボール２４が圧縮コイルスプリング２６の付勢力によって一対の傾斜面１８に当接されることで、節度ボール２４ひいてはロータ２０の前方へのスライドが補助され、かつ、正規キー３８の各貫通孔３４内への貫通が解除されることで、各タンブラ３０がコイルスプリング３２の付勢力によって各スリット１４内へ挿入される。
【００２７】
図１に示す如く、ロータ２０の後面には、係合手段を構成する係合凸部４０が形成されており、係合凸部４０はロータ２０の後面から後方へ突出されている。
【００２８】
ロータケース１２内には、ロータ２０の後方において、操作対象としての略円柱状のレバー４２が設けられており、レバー４２は、中心軸周りに回転可能にされると共に、前後方向へのスライド（移動）が制限されている。レバー４２の前面には、係合手段を構成する係合凹部４４が形成されており、ロータ２０が後方へスライドされた際に、ロータ２０の係合凸部４０が係合凹部４４が係合（挿入又は嵌合）されることで、レバー４２がロータ２０と一体に回転（操作）可能にされている。
【００２９】
レバー４２には、ドアロック機構等の作動機構（図示省略）が接続されており、レバー４２が回転されることで、作動機構が作動（例えばドアのロック又はアンロック）される。
【００３０】
次に、本実施の形態の作用を説明する。
【００３１】
以上の構成のキーシリンダ１０では、ロータ２０のキー挿入孔３６に前方から正規キー３８が挿入された際に、タンブラ３０のスリット１４内への挿入が解除されて、ロータ２０の後方へのスライドが許可される。さらに、正規キー３８のキー挿入孔３６への挿入力によってロータ２０が後方へスライドされて、ロータ２０の係合凸部４０がレバー４２の係合凹部４４に係合される。これにより、正規キー３８が回転操作されることで、ロータ２０が回転されて、レバー４２が回転され、作動機構が作動される。また、ロータ２０のキー挿入孔３６に正規キー３８が挿入された際には、節度ボール２４が、圧縮コイルスプリング２６の付勢力に抗して節度溝１６内から離脱されて、節度溝１６の後側近傍位置においてロータケース１２の内周面に当接される。
【００３２】
ここで、ロータ２０のキー挿入孔３６に正規キー３８が挿入されない際には、タンブラ３０がスリット１４内へ挿入されてロータ２０の後方へのスライドが制限されると共に、タンブラ３０がスリット１４の周方向へ移動可能にされてロータ２０の回転が許可されている。このため、ロータ２０のキー挿入孔３６に正規キー３８以外の挿入部材（例えば不正規キー等）が挿入された際には、タンブラ３０のスリット１４内への挿入が解除されずに、タンブラ３０のスリット１４後面へ係合によってロータ２０の後方へのスライドが制限されるため、ロータ２０の係合凸部４０がレバー４２の係合凹部４４に係合されない。これにより、仮に挿入部材の回転操作によってロータ２０が回転されても、レバー４２が回転されず、作動機構は作動されない。
【００３３】
このように、ロータ２０のキー挿入孔３６に正規キー３８以外の挿入部材が挿入された際でも、挿入部材の回転操作によるロータ２０の回転が許可されるため、キーシリンダ１０の構成部品に無理な力が作用しない。これにより、簡単な構成（従来のスリーブがない構成）で、当該構成部品の破損を抑制することができ、当該構成部品の再使用を可能にすることができる。
【００３４】
また、ロータ２０のキー挿入孔３６に正規キー３８が挿入されない際には、節度ボール２４が圧縮コイルスプリング２６の付勢力によって節度溝１６内に挿入されて一対の傾斜面１８に当接されることで、節度ボール２４ひいてはロータ２０が前側へ付勢されている。このため、簡単な構成で、ロータ２０を前側へ付勢することができ、ロータ２０をロータケース１２の前面板１２Ａに接触する位置に配置することができる。
【００３５】
さらに、ロータ２０のキー挿入孔３６から正規キー３８が抜き取られた際には、正規キー３８のキー挿入孔３６からの抜取力によってロータ２０及び節度ボール２４が前方へスライドされることで、節度ボール２４が節度溝１６内に挿入されて一対の傾斜面１８に当接される。これにより、圧縮コイルスプリング２６の付勢力及び一対の傾斜面１８によって節度ボール２４ひいてはロータ２０が前側へ付勢されることで、容易にロータ２０がロータケース１２の前面板１２Ａに接触する位置に復帰することができる。
【００３６】
しかも、ロータ２０のキー挿入孔３６に正規キー３８が挿入されない際には、節度ボール２４のロータケース１２周方向両側への回転が一対の傾斜面１８によって抑制されることで、節度ボール２４を介してロータ２０の回転位置が中立回転位置に位置決めされる。このため、一対の傾斜面１８、節度ボール２４及び圧縮コイルスプリング２６が、ロータ２０を前側へ付勢する機能のみならず、ロータ２０を中立回転位置に位置決めする機能をも有することができ、構成を一層簡単にすることができる。
【００３７】
なお、本実施の形態では、ロータ２０に係合凸部４０を設けると共に、レバー４２に係合凹部４４を設けた構成としたが、ロータ２０に係合凹部４４を設けると共に、レバー４２に係合凸部４０を設けた構成としてもよい。
【００３８】
また、本実施の形態では、ロータ２０のキー挿入孔３６に正規キー３８が挿入された際に節度ボール２４が節度溝１６内から離脱される構成としたが、ロータ２０のキー挿入孔３６に正規キー３８が挿入された際に節度ボール２４が節度溝１６内から離脱されない（節度ボール２４の節度溝１６内への挿入が維持される）構成としてもよい。
【００３９】
さらに、本実施の形態では、ロータケース１２に傾斜面１８を設けると共に、ロータ２０に節度ボール２４及び圧縮コイルスプリング２６を設けた構成としたが、ロータケース１２に節度ボール２４（当接部）及び圧縮コイルスプリング２６（付勢部材）を設けると共に、ロータ２０に傾斜面１８（傾斜部）を設けた構成としてもよい。
【図面の簡単な説明】
【００４０】
【図１】本発明の実施の形態に係るキーシリンダを示す側方から見た断面図（図３の１−１線断面図）である。
【図２】本発明の実施の形態に係るキーシリンダにおけるロータに正規キーが挿入された状態を示す側方から見た断面図である。
【図３】本発明の実施の形態に係るキーシリンダを示す前方から見た前面図である。
【図４】本発明の実施の形態に係るキーシリンダを示す前方から見た断面図（図１の４−４線断面図）である。
【図５】本発明の実施の形態に係るキーシリンダを示す前方から見た断面図（図１の５−５線断面図）である。
【符号の説明】
【００４１】
１０    キーシリンダ
１２    ロータケース
１４    スリット（制限手段）
１６    節度溝（付勢手段）
１８    傾斜面（付勢手段、傾斜部）
２０    ロータ
２４    節度ボール（付勢手段、当接部）
２６    圧縮コイルスプリング（付勢手段）
３０    タンブラ（制限手段）
３８    正規キー（キー）
４２    レバー（操作対象）
【図１】
2007239324.tif 000003
【図２】
2007239324.tif 000004
【図３】
2007239324.tif 000005
【図４】
2007239324.tif 000006
【図５】
2007239324.tif 000007